(57)【特許請求の範囲】
【請求項１】
クリーム状内容物(A) を収納する壜体状の容器本体(1) の口部(6) に、前記内容物(A) を吸い上げて注出する手動ポンプ(10)を装着し、前記容器本体(1) 内に、前記内容物(A) 上に載置するリング板状の押え蓋(20)を昇降変位可能に装着した注出容器であって、前記押え蓋(20)の内周縁に、前記手動ポンプ(10)の吸上げパイプ(13)に緩く外嵌して、前記押え蓋(20)の姿勢を略一定に保つ内筒片(24)を設け、該内筒片(24)内周面下端に、前記吸上げパイプ(13)の外周面に密摺接するシール片(25)を内鍔状に突周設し、該内筒片(24)の筒壁に、指先が容易に嵌入係止する指掛け孔(26)を開設して成る注出容器。
【発明の詳細な説明】
【０００１】
【発明の属する技術分野】
本発明は、粘度の比較的高いクリーム状の内容物を、手動ポンプを利用して注出する注出容器に関するものである。
【０００２】
【従来の技術】
クリーム状内容物を、手動ポンプを利用して注出するこの種の注出容器の代表例として、実用新案登録公報第２５３７９０７号に記載の技術がある。
【０００３】
この従来技術は、有底筒状胴部の上端に口部を起立設した壜体状容器本体と、この容器本体の口部に螺合させた装着筒により、容器本体に挿入起立状に装着した手動ポンプと、容器本体内のクリーム状内容物上に載置され、この内容物の減少に伴って下降する押え蓋（可動蓋）とから成り、手動ポンプの押下げヘッドを上下動させることにより、内容物を手動ポンプの吸上げパイプで吸い上げて、押下げヘッドのノズル孔から注出するように構成されている。
【０００４】
押え蓋は、内容物が流動性の悪いクリーム状物であるが故に、その吸い上げ注出に伴って、吸上げパイプの下端（吸込み口）から内容物の上面に至る空孔が形成され、内容物の円滑な注出が阻害されてしまうことを防止するためのもので、内容物の上面を押えることにより、手動ポンプの内容物吸い上げに伴う負圧の影響を、内容物全体に均一に作用させ、これにより内容物吸い上げに伴う負圧が、内容物の一部に偏って作用することにより形成される空孔の発生を阻止して、内容物の良好な注出動作を維持する。
【０００５】
【発明が解決しようとする課題】
しかしながら、上記従来技術にあっては、内容物を補充すべく、容器本体の底部に位置している押え蓋を取り外すに際して、狭い容器本体内部の底部に位置している押え蓋に対して強い摘まみ保持力を作用させることができず、また容器本体と押え蓋との間に残留している内容物が大きな付着力を発揮するので、押え蓋の取外しがきわめて面倒で、多くの手間と時間とを要し、このため内容物の補充を迅速かつ円滑に行うことができない、と云う問題があった。
【０００６】
そこで、本発明は、上記した従来技術における問題点を解消すべく創案されたもので、容器本体内にクリーム状内容物の押え蓋を設けた注出容器において、内容物の補充の際に、押え蓋を容器本体の底面から容易に引き上げることができるようにすることを技術的課題とし、もって内容物の補充を迅速にかつ円滑に達成できるようにすることを目的とする。
【０００７】
【課題を解決するための手段】
上記技術的課題を解決する本発明の手段は、クリーム状内容物を収納する壜体状の容器本体の口部に、内容物を吸い上げて注出する手動ポンプを装着し、容器本体内に、内容物上に載置するリング板状の押え蓋を昇降変位可能に装着した注出容器であること、押え蓋の内周縁に、手動ポンプの吸上げパイプに緩く外嵌して、押え蓋の姿勢を略一定に保つ内筒片を設けること、この内筒片の内周面下端に、吸上げパイプの外周面に密摺接するシール片を内鍔状に突周設すること、
この内筒片の筒壁に、指先が容易に嵌入係止する指掛け孔を開設すること、にある。
【０００８】
容器本体内の内容物を使い切って補充する場合、手動ポンプを取り外した後、容器本体の底面上に位置している押え蓋を摘み上げて取り出すが、その際、内筒片の指掛け孔に指先を引掛けて引き上げることができるので、狭い容器本体内であっても、指掛け孔に対して指先を確実に引掛けることができ、これにより押え蓋に対して強力な引き上げ力を簡単に作用させて、この押え蓋の取外しを簡単にかつ速やかに達成することができる。
【０００９】
【発明の実施の形態】
以下、本発明の一実施例を、図面を参照しながら説明する。
容器本体１は、胴部２と底部３とから成る主体部１ａと、胴部２の上端部外周に螺合する組付き筒４と肩部５と口部６とから成るヘッド部１ｂとから構成されている。
【００１０】
口部６には、この口部６外周に螺合する装着筒７を介して、公知構造の縦型手動ポンプ１０が装着されており、上端の押下げヘッド１１を上下動させることにより、下端に連設した吸上げパイプ１３を介してクリーム状内容物Ａを吸い上げて、押下げヘッド１１の注出ノズル１２から注出するようになっている。
【００１１】
押え蓋２０は、硬質の合成樹脂等から成るリング板状の蓋板２１と、この蓋板２１の内周縁に組付けられる軟質の合成樹脂等から成るシールリング２２とから構成されている。
【００１２】
シールリング２２は、底板２３の上面内周縁に内筒片２４を立設すると共に、この内筒片２４の内周面下端に、吸上げパイプ１３の外周面に密摺接する肉薄のシール片２５を内鍔状に突周設して形成されている。
【００１３】
内筒片２４には、少なくとも一つの指掛け孔２６を開設すると共に、外周面下部に係止突条２７を周設し、底板２３とこの係止突条２７との間に蓋板２１の内周縁部を係止させて固定する。
【００１４】
なお、指掛け孔２６は、内筒片２４の軸対称位置に一対設けるのが好適であるが、これに限定されるものではなく、また、押え蓋２０は全体を一体構造のものとしてもよい。
【００１５】
クリーム状内容物Ａの補充時には、容器本体１のヘッド部１ｂを主体部１ａから螺脱させて、このヘッド部１ｂと一体に手動ポンプ１０を取り外し、次いで、主体部１ａ内の底面上に位置している押え蓋２０の内筒片２４の指掛け孔２６に指先を引掛けて摘み上げることにより、押え蓋２０を容易に取り出すことができる。
【００１６】
その後、主体部１ａ内にクリーム状内容物Ａを再充填して、この内容物Ａの上面に押え蓋２０を載置してから、手動ポンプ１０と一体にヘッド部１ｂを主体部１ａの上部に螺合組付けする。
【００１７】
【発明の効果】
本発明は、上記した構成となっているので、以下に示す効果を奏する。
容器本体内のクリーム状内容物を使い切って補充する場合において、手動ポンプを取り外してから、容器本体の底面上に位置している押え蓋を摘み上げて取り出すが、その際、内筒片の指掛け孔に指先を引掛けて引き上げることができるので、たとえ押え蓋が容器本体の底面に張り付いていても、指先がすべったりすることなく、容易に引き上げることができ、もって内容物の補充を迅速にかつ円滑に達成することができる。
【図面の簡単な説明】
【図１】本発明の一実施例を示す、要部を破断した全体側面図。
【図２】図１に示した実施例における押え蓋を示す、要部縦断面図。
【符号の説明】
１  ；  容器本体
１ａ；  主体部
１ｂ；  ヘッド部
２  ；  胴部
３  ；  底部
４  ；  組付き筒
５  ；  肩部
６  ；  口部
７  ；  装着筒
１０  ；  手動ポンプ
１１  ；  押下げヘッド
１２  ；  注出ノズル
１３  ；  吸い上げパイプ
２０  ；  押さえ蓋
２１  ；  蓋板
２２  ；  シールリング
２３  ；  底板
２４  ；  内筒片
２５  ；  シール片
２６  ；  指掛け孔
２７  ；  係止突条
Ａ  ；  クリーム状内容物
【図１】
0003928303.tif 000002
【図２】
0003928303.tif 000003